(57)【特許請求の範囲】
【請求項１】
内部導体上に絶縁体を設けた電線を２本平行に並べた状態でこれら２本の電線の外周に、編組ピッチが１ｍｍ〜１２ｍｍの金属編組層と片面に金属が蒸着され且つその蒸着厚みが０．１μｍ〜１μｍであるプラスチックテープの該金属蒸着面が金属編組層に接して巻回された金属テープ層とからなる外部導体を設け、さらに、該外部導体の周りにプラスチックテープを巻回してなるジャケット層を形成して得られた２芯平行シールドケーブルを
複数本並列させた状態で、被覆材で直接固着して構成したことを特徴とするフラットシールドケーブル。
【請求項２】
該ジャケット層を構成するテープが、該外部導体側に接する面にホットメルト剤が塗布されたプラスチックテープからなる請求項１に記載のフラットシールドケーブル。
【請求項３】
該被覆材が、粘着テープである請求項１または２に記載のフラットシールドケーブル。
【発明の詳細な説明】
【０００１】
【発明の属する技術分野】
本発明は、パソコン等の電子機器の高速信号伝送に適したフラットシールドケーブルに関するものである。
【０００２】
【従来技術】
従来、高速信号伝送用のフラットシールドケーブルにおいては、２芯の絶縁電線を撚ったツイストペア線が並列配置される。ところが、このツイストペア線には外部導体が無いのでシールド特性が十分でないため、外周部にシールド材を巻く等の、ノイズ対策が不可欠となる。しかし、このような対策には、ケーブル自体が不可避的に太くなってしまうという問題が末解決のまま放置されていた。
さらに、実開平４−９４２１２号公報（実願平３−６２６号のマイクロフィルム）には、平行２芯ケーブルをスパイラル状に巻き、その外周をさらに、編組状に導電性外部導体で被覆した２芯ケーブルが開示されているが、この場合は外部導体と絶縁体との密着性が悪くシールド特性が十分でないという問題がある。また、この態様では、製品の外形がコンパクトでなく、製造工程が頻雑になるという問題もある。
【０００３】
【発明が解決しようとする課題】
本発明は、かかる従来技術の問題点を解消し、シールド性が改善され、しかもコンパクトな形状を有するフラットシールドケーブルを提供することを課題とするものである。
【０００４】
【課題を解決するための手段】
本発明者等は、上記課題を解決するために鋭意検討を重ねた結果、絶縁電線を２本平行に並べた状態で、それらの外周に、特定の編組ピッチの金属編組層と該層を取り巻く金属蒸着テープ層とからなる２層構造の外部導体を設けることにより、懸案のシールド性が改善され、製品のコンパクト化が図れることを究明した。
かくして、本発明によれば、
内部導体上に絶縁体を設けた電線を２本平行に並べた状態でこれら２本の電線の外周に、編組ピッチが１ｍｍ〜１２ｍｍの金属編組層と片面に金属が蒸着され且つその蒸着厚みが０．１μｍ〜１μｍであるプラスチックテープの該金属蒸着面が金属編組層に接して巻回された金属テープ層とからなる外部導体を設け、さらに、該外部導体の周りにプラスチックテープを巻回してなるジャケット層を形成して得られた２芯平行シールドケーブルを複数本並列させた状態で、被覆材で直接固着して構成したことを特徴とするフラットシールドケーブルが提供される。
【０００５】
【発明の実施の形態】
以下、図面を参照しながら、本発明を更に詳細に説明する。
図１は、本発明のフラットシールドケーブルに用いる２芯平行シールドケーブルの一例を示す横断面図、図２は、図１の２芯平行シールドケーブルを複数本平行に並べて構成したフラットシールドケーブルの横断面図である。
図１〜図２において、１は２芯平行シールドケーブルである。この２芯平行シールドケーブル１は、内部導体２、絶縁体３、金属編組層５と金属テープ層６との２層構造の外部導体４、およびジャケット層７からなる。さらに、８はフラットシールドケーブルであり、これは、２芯平行シールドケーブル１の複数本を並列させた状態で被覆材９で直接固着されて構成される。
【０００６】
ここで、内部導体２としては、一般に軟銅線、合金線の単線または撚リ合せた導体が使用される。一方、絶縁体３としては、絶縁機能を有するものであれば使用可能であるが、ケーブルの要求特性の一つである優れた高周波特性を考慮した場合、フッ素樹脂が好ましく、しかもこれを押出し被覆した形で適用するのが最も好ましい。この絶縁体３の厚さは０．０４ｍｍ〜０．２ｍｍの範囲にあるのが好ましい。
外部導体４に関して、肝要なことは、金属編組層５の編組ピッチが１ｍｍ〜１２ｍｍの範囲（特に好ましくは２ｍｍ〜１０ｍｍ）になければならない。なぜなら、上記のピッチが１ｍｍ未満では、編組の絞めつけが強くなりすぎ、製品の可撓性に問題を生じ一方、１２ｍｍを超えると編組がバラケ易くなりインピーダンス特性が不安定になったり、シールド特性が悪化するからである。金属編組層５は導体２の材質である軟銅線あるいは合金線を編組して構成される。編組の打数は８〜２４、持数は３〜８が、編組ピッチは１ｍｍ〜１２ｍｍの範囲にあることがシールド特性上から好ましい。一方、金属テープ層６を構成するテープとしては、金属蒸着テープ層等が適宜使用されるが、その中でも特にポリエステルテープ等のプラスチックテープの片面に銅を蒸着させた金属蒸着テープ層が強度上、シールド特性上から好ましい。金属蒸着の厚さは０．１μｍ〜１μｍの範囲で用いる。ここで大事なことは、充分なシールド特性を得るため、金属テープはその金属蒸着面が金属編組層５に接するよう配置するとともに、金属編組層５上に隙間を生じないよう、密に横巻する。
上記の外部導体４の周りには、ポリエステルテープ等のプラスチックテープを横巻きしてジャケット層７を形成する。このジャケット層を構成するテープとしては、片面にホットメルト剤が塗布されたプラスチックテープを用いるのが好ましい。これは、加熱溶融することによりホットメルトが外部導体４の表面全体に塗布・溶着されるので、接着強度および密閉性が向上するからである。併せて、作業工数が削減され生産性も向上するという利点も生じる。このジャケット層７の厚さは４μｍ〜１８μｍの範囲にあることが好ましい。
【０００７】
次に、図２に示した本発明のフラットシールドケーブル８について説明する。
図２に示すように、このフラットシールドケーブル８は、図１に示した２芯平行シールドケーブル１を複数本平行に並べ、その外周をケーブル群の上下から被覆材９で固着したものである。この場合用いる被覆材９としては、合成樹脂特にポリエステルを基材とする粘着テープが好ましく採用される。
このようなフラットシールドケーブル８においては、２芯平行シールドケーブル１を複数本平行に並べ、その外周に被覆材９を固着するように構成したので、多信号を伝送する場合にも各２芯平行シールドケーブル部でのノイズ相殺効果により優れたシールド効果が奏されるという特長がある。なお、本発明の応用として、２芯平行シールドケーブルと従来の同軸ケーブルあるいは電源ケーブルとを組み合わせたフラットシールドケーブルも可能であることを付記しておく。
【０００８】
【実施例】
以下、実施例により本発明をさらに詳細に説明するが、本発明はこれによって限定されるものではない。
先ず、内部導体２として、外径０．０３ｍｍのスズ入り銅合金線７本を撚ったものを用いた。また、絶縁体３はフッ素樹脂を０．０６ｍｍの厚さで内部導体２上に押出し被覆して、外径０．２１ｍｍの絶縁電線を作成した。
次に、この絶縁電線を２本平行に並べた状態で、その外周に、外径０．０３ｍｍのスズ入り銅合金線を打数１６、持数６本、編組ピッチ６．６ｍｍから７ｍｍで編組した金属編組層５を得、さらに、この金属編組層５の周りに０．１μｍの厚さの銅を蒸着させた、全厚みが６μｍのポリエステルテープを巻回して金属テープ層６を形成して、最終的に２層構造の外部導体４を得た。
最後に、外部導体４上にジャケットとして、ホットメルト剤付きの、全厚みが６μｍのポリエステルテープを巻回した状態で加熱してジャケット層７を形成し、２芯平行シールドケーブル１を得た。最後に、これらの２芯平行シールドケーブル１を複数本平行に並べ、その外周をケーブル群の上下から被覆材９で固着して、本発明のフラットシールドケーブル８とした。
【０００９】
【発明の効果】
本発明によれば、コンパクトにして優れたシールド特性を呈するフラットシールドケーブルが、より改善された作業性の下に提供される。
【図面の簡単な説明】
【図１】  本発明で用いる２芯平行シールドケーブルの一例を示す横断面図である。
【図２】上記の２芯平行シールドケーブルを複数本平行に並べて構成したフラットシールドケーブルの一例を示す横断面図である。
【符号の説明】
１   ２芯平行シールドケーブル
２   内部導体
３   絶縁体
４   外部導体
５   金属編組層
６   金属テープ層
７   ジャケット層
８   フラットシールドケーブル
９   被覆材
【図１】
0004445084.tif 000002
【図２】
0004445084.tif 000003